(57)【要約】【課題】  紙パックを開ける時接着部の剥離がなかなかスムーズに出来ず、剥離しても不具合な状態の注ぎ口にしかならず、コップ類に注ぐ時に零れて周囲を汚すなどの不都合を解消する。【解決手段】  紙製品からなる角筒の紙パック本体１上部に開口を設け、対応する開き口板２一対を注ぎ口板３ａ・３ｂとして開口内に折り込んで開き口板２及び注ぎ口板３ａ・３ｂの糊代４・５を接着にて密封し、開口時に一方の注ぎ口板３ａを注ぎ口となるようにした紙パックに於いて、一方の注ぎ口板３ａ先端に凸或は山形等の掴み易い形状からなる掴部６を設け、該掴部６が注ぎ口板３ａの折り込み時には折り曲げにて折り込みを可能とし、密封時でも掴部６先端を非接着状となるようにし、開口時には一方の注ぎ口板３ａと共に掴部６が注ぎ口Ａとなるようにしたものである。【選択図】  図１
0003102262.tif 000002
【実用新案登録請求の範囲】
【請求項１】
紙製品からなる角筒の紙パック本体上部に開き口を設け、対応する開き口板一対を注ぎ口板として開き口内に折り込んで開き口板及び注ぎ口板の糊代を接着にて密封し、開き口時に一方の注ぎ口板を注ぎ口となるようにした紙パックに於いて、一方の注ぎ口板先端に凸或は山形等の掴み易い形状からなる掴部を設け、該掴部が注ぎ口板の折り込み時には折り曲げにて折り込みを可能とし、密封時でも掴部先端を非接着状となるようにし、開口時には一方の注ぎ口板と共に掴部が注ぎ口となるようにしたことを特徴とする飲料用紙パック。
【考案の詳細な説明】
【技術分野】
【０００１】  本考案は紙パックの注ぎ口の取出しを老若男女を問わず誰でも容易に行なうことが出来る飲料用紙パックに関するものである。
【背景技術】
【０００２】  科学技術の発達に伴い生活水準が向上し、食生活も多様化して美味しさ或は手軽さが要求されて来た。
特に飲料用は、純水から果汁更にはアルコール類に至る広い範囲で多くの種類が店頭で或は自動販売機で購入することが出来、その容器もビンやペットボトル更に紙製品（紙パック）等が用いられている。
このような状況の中で紙パックは再生紙なども用いられたりしているが、通常は角柱とし上部に開き口を設けてあり、この開き口を図１１に示す如く両側に開きその後左右共に完全に押し広げてから手前に引き出して図１２に示す如く注ぎ口とし、他の容器などにこの注ぎ口から注いで飲むようにしていた。
【考案の開示】
【考案が解決しようとする課題】
【０００３】  このように紙パック上部に開口を設け開いて注ぎ口とするが、注ぎ口とするために手前に引き出そうとする時開き口は接着されているのでなかなか畳み込んでいる注ぎ口となる部分が剥がれず、逆に剥がそうと力を加えて行くと広げた部分が折れてしまったりして剥がすことが出来ない。
そのため注ぎ口となる部分に先の尖った丈夫なもの（例えばホークの先のようなもの）などを突っ込んでこじ開けなければならない。
このようにしてこじ開けて注ぎ口とした場合、注ぎ口が折れ曲がったりして口の部分が不揃いとなり綺麗な注ぎ口とすることが出来ない。
このため他の容器に注ぐ時に注ぐ流れが乱れてこぼしてしまったり、或は再度開き口を閉じる時注ぎ口の不揃いのため隙間が出来ていて紙パックを傾けたりした時紙パックよりこぼしてしまなどその機能を十分に果たさないなど注ぎ口を引き出すか形成するうえに於いて非常に不都合を感じていた。
【課題を解決するための手段】
【０００４】  本考案はこのような不都合を解消するもので、
紙製品からなる角筒の紙パック本体上部に開き口を設け、対応する開き口板一対を注ぎ口板として開き口内に折り込んで開き口板及び注ぎ口板の糊代を接着にて密封し、開口時に一方の注ぎ口板を注ぎ口となるようにした紙パックに於いて、一方の注ぎ口板先端に凸或は山形等の掴み易い形状からなる掴部を設け、該掴部が注ぎ口板の折り込み時には折り曲げにて折り込みを可能とし、密封時でも掴部先端を非接着状となるようにし、開口時には一方の注ぎ口板と共に掴部が注ぎ口となるようにしたものである。【０００５】  紙パック本体上部を開口しコップ類に入れて飲料水を飲むためには、開き口板及び注ぎ口板接着を剥がして開くことによって、掴部先端の非接着部を引張りにて引き起こすため、この起きた掴部先端を掴んで手前に引っ張れば注ぎ口板と掴部が更に開き口板と注ぎ口板が剥がれて紙パック本体上部が開き、注ぎ口板と掴部が共に注ぎ口を形成し、特に掴部は突き出た注ぎ口となる。
このように形成した注ぎ口は、折れ曲がりや変形などの異常が発生せず注ぎ口としての形状を確実に保っているため、この注ぎ口にて紙パック本体よりコップ類に注ぐ時、周囲に零して汚すことがない。
そしてコップ類に注ぎ終わると、前述の逆の手順で開口前の状態に戻せば紙パック本体上部を蓋して収納を可能とする。
【考案の効果】
【０００６】  上述の如く本考案は、掴部を注ぎ口板先端に設けたことによって、開き口板・注ぎ口板・掴部の接着部の剥離が容易に行なえるため、剥離時に生じる面倒な操作を無くし而も剥離する開き口板と注ぎ口板の先端部の折れ曲がりや紙材質の縒れや膨らみなどによる変形がなく、注ぎ口板と掴部を共に綺麗に整った注ぎ口に形成することが出来る。
そのため気持ち良く紙パックからコップ類に零すことなく注いで飲むことが出来ると共に、注ぎ終れば上部を元に戻して蓋し収納することが容易に出来る。
【考案を実施するための最良の形態】
【０００７】  紙製品からなる角筒の紙パック本体上部に開き口を設け、対応する開き口板一対を注ぎ口板として開き口内に折り込んで開き口板及び注ぎ口板の糊代を接着にて密封し、開口時に一方の注ぎ口板を注ぎ口となるようにした紙パックに於いて、一方の注ぎ口板先端に凸或は山形等の掴み易い形状からなる掴部を設け、該掴部が注ぎ口板の折り込み時には折り曲げにて折り込みを可能とし、密封時でも掴部先端を非接着状となるようにし、開口時には一方の注ぎ口板と共に掴部が注ぎ口となるようにしたものである。
【実施例１】
【０００８】  以下本考案の実施例１を図面について説明する。
図中１は底部を有し上部を開口した角筒の紙パック本体であって、開口の対応する一方の一対を開き口板２とし他方の一対を切り取り高さを低くした注ぎ口板３ａ・３ｂとし、開き口板２上部内側と注ぎ口板３ａ・３ｂ上部内外両側に糊代４・５を設け、外側の糊代５の縦中央を折曲線５ａにて中折れ、更に外側の糊代５下面を折曲線５ｂにて外折として開き口板２内に折り込みを可能としている。【０００９】  ６は山形で頂点までが糊代５の幅よりも長くした掴部であって、一方の注ぎ口板３ａ先端に折曲線７にて接続して外折とし、該掴部６縦中央を折曲線７にて外折後に折曲線８にて内折りとし、更に注ぎ口板３ａ・３ｂの外側面の糊代５下方に注ぎ口板３ａ・３ｂの先端縁と平行に設けた折曲線９にて外折りとし、折曲線５ａ下端と折曲線９両端を結ぶ折曲線１０にて内折として折り込むと共に、開き口板２も折曲線９と同じ高さの位置の折曲線１１にて外折とし、糊代５下端の折曲線５ｂと同じ高さの折曲線１２にて内折として折り曲げて図２・３に示す如く開き口板２の糊代４と注ぎ口板３ａ・３ｂの糊代５と掴部６を接着して掴部６先端が糊代４より突き出るよう設けて紙パック本体１上部を密封している。【００１０】  作用
紙パック本体１上部を開口して飲料水を飲むためにコップ類に入れるには、開き口板２及び注ぎ口板３ａの上部の接着を剥がして図４の状態になるまで開く。  すると掴部６は折り込まれていたが先端は接着していないため注ぎ口板３ａの開きによって引っ張られて外方に向かって起きてくる。
このように掴部６の先端が起きてくると、掴部６先端を掴んで手前に引っ張り掴部６と糊代５の接着を剥がし、更に手前に引っ張って開き口板２と注ぎ口板３ａの接着を剥がすと、折曲線５ａ・８にて内折であった掴部６と注ぎ口板３ａが逆の外折れとなり注ぎ口板３ａと掴み部６が共に図５に示す如く注ぎ口Ａを形成し、特に掴部６は突き出た注ぎ口となる。
この時、注ぎ口Ａには何の異常もなく紙パック本体１内の飲料水をコップ類に注ぎ口Ａよりこぼしたりすることなく確実に注ぐことが出来る。
コップ類に注ぎ終わると、前述の逆の手順で開口前の状態に戻せば良い。
【実施例２】
【００１１】  以下本考案の実施例２を図面について説明する。
図中１３は底部を有し上部を開口した角筒の紙パック本体であって、開口の対応する一方の一対を開き口板１４、他方の一対を注ぎ口板１５ａ・１５ｂとし、開き口板１４上部内側と注ぎ口板１５ａ・１５ｂ上部内外両側に糊代１６・１７を設け、外側の糊代１７の縦中央を折曲線１７ａにて中折れ、更に外側の糊代１７下面を折曲線１７ｂにて外折として開き口板１４内に折り込みを可能としている。【００１２】  １８は山形で頂点までが糊代１７の幅よりも長くした掴部であって、一方の注ぎ口板１５ａ先端に折曲線１９にて接続して外折とし、該掴部１８縦中央を折曲線１９にて外折後に折曲線２０にて内折りとし、更に注ぎ口板１５ａ・１５ｂの外側面の糊代１７下方に注ぎ口板１５ａ・１５ｂの先端縁と平行に設けた折曲線２１にて外折りとし、折曲線１７ａ下端と折曲線２１両端を結ぶ折曲線２２にて内折として折り込むと共に、開き口板１４も折曲線２１と同じ高さの位置の折曲線２３にて外折とし、注ぎ口板１５ａ先端と同じ高さの折曲線２４にて内折として折り曲げて図７・８に示す如く開き口板１４の糊代１６と注ぎ口板１５ａ・１５ｂの糊代１７と掴部１８を接着して掴部１８先端が糊代１６・１７より突き出るよう設けて紙パック本体１３上部を密封している。【００１３】  作用
使用に当っては、実施例１と要領及びその効果が全く同じのため説明は省略する。
【産業上の利用可能性】
【００１４】  本考案の活用例としては、牛乳・炭酸・果汁或は酒類等の飲料用容器とて用いる。
【図面の簡単な説明】
【００１５】
【図１】実施例１の上部を開口した斜視図
【図２】実施例１の上部を接着して蓋して一部を破断した正面図
【図３】実施例１の上部を接着して蓋した右側面図
【図４】実施例１の上部開口状態途中の斜視図
【図５】実施例１の上部開口状態の斜視図
【図６】実施例２の上部を開口した斜視図
【図７】実施例２の上部を接着して蓋して一部を破断した正面図
【図８】実施例２の上部を接着して蓋した右側面図
【図９】実施例２の上部開口状態途中の斜視図
【図１０】実施例２の上部開口状態の斜視図
【図１１】従来の上部開口状態途中の斜視図
【図１２】従来の上部開口状態の斜視図
【符号の説明】
【００１６】  １    紙パック本体
２    開き口板
３ａ  注ぎ口板
３ｂ  注ぎ口板
４    糊代
５    糊代
６    掴部
Ａ    注ぎ口
１３    紙パック本体
１４    開き口板
１５ａ  注ぎ口板
１５ｂ  注ぎ口板
１６    糊代
１７    糊代
１８    掴部
Ｂ    注ぎ口
【図１】
0003102262.tif 000003
【図２】
0003102262.tif 000004
【図３】
0003102262.tif 000005
【図４】
0003102262.tif 000006
【図７】
0003102262.tif 000007
【図８】
0003102262.tif 000008
【図５】
0003102262.tif 000009
【図６】
0003102262.tif 000010
【図９】
0003102262.tif 000011
【図１０】
0003102262.tif 000012
【図１１】
0003102262.tif 000013
【図１２】
0003102262.tif 000014